(57)【要約】【課題】  従来の反転式印判は、インキパッドに何の摘み部分もないので、容易に反転式印判から抜き出すことができなかった。また、インキパッドの摘み部分を折り畳み式にすると、強度が弱く、何度も使用する間に屈折部が折れてしまう欠点があった。【解決手段】  内部に反転ガイドを設けてなる内枠体と、前記内枠体との間に弾性体を介在して装着する外枠体と、印面を保持し前記反転ガイドにより反転可能な印判主体と、インキパッドを収容し側面に摘み部を設けたインキカートリッジと、からなる反転式印判において、前記内枠体の側面に前記インキカートリッジを挿入取出するための脱着口を設け、前記外枠体の側面に前記インキカートリッジを挿入取出するための着脱口を設け、かつ、前記インキカートリッジの摘み部が可動するための溝が前記着脱口から連続して設けてある反転式印判。【選択図】      図１
2011005684.tif 000002
【特許請求の範囲】
【請求項１】
内部に反転ガイドを設けてなる内枠体と、
前記内枠体との間に弾性体を介在して装着する外枠体と、
印面を保持し前記反転ガイドにより反転可能な印判主体と、
インキパッドを収容し側面に摘み部を設けたインキカートリッジと、
からなる反転式印判において、
前記内枠体の側面に前記インキカートリッジを挿入取出するための脱着口を設け、
前記外枠体の側面に前記インキカートリッジを挿入取出するための着脱口を設け、かつ、前記インキカートリッジの摘み部が可動するための溝が前記着脱口から連続して設けてある反転式印判。
【請求項２】
前記印判主体が、前記印字体を嵌め込んだ印字体ホルダーを取り外し可能に保持した印判主体である請求項１に記載の反転式印判。
【請求項３】
前記内枠体の下端部に被捺印物を保持するための凹みを設けた請求項１に記載の反転式印判。
【発明の詳細な説明】
【技術分野】
【０００１】
本発明は、基本状態はバネ等の弾性体により印面が上方を向いてインキパッドに接触しているが、弾性体に抗して圧縮すると、反転ガイドにより印判主体が反転して下方を向き、捺印可能となるセルフインキングスタンプとも称される反転式印判に関するものである。
【背景技術】
【０００２】
従来、この種の反転式印判に関する出願は数多くされている。この種の反転式印判の中には、印判を固定印字体としたものや、無端回転印字ベルトを使用した回転印としたものがある。この様な反転式印判の場合、印面が常にインキパッドに接触しているため、印字体を交換したり、無端回転印字ベルトを回転させて印面を変更したり、インキパッドを交換したり、インキを補充したりするといった作業を行なう場合、印面とインキパッドを離した状態にしなければならない。しかしながら、この種の反転式印判は印面とインキパッドを離した状態を保つことができないため、前記作業がしづらいという問題が生じていた。
そこで、これらの問題を改善した反転式印判に関する出願として、実開昭５４−１３４５２０号、米国特許第５１５２２２３号、米国特許第５７２７４６７号、米国特許第５８５０７８７号等がある。この種の反転式印判は、印面とインキパッドとをコイルバネにて常に接触させており、印字体を保持する印判主体を１８０度反転させると同時に捺印できるものであり、又、印判主体を１８０度反転させた時にロック状態にすることができるものである。
実開昭５４−１３４５２０号、米国特許第５１５２２２３号は、弾性体に抗して外枠体を押圧し印判主体を１８０度反転させた時に、下部分に設けられた開口部と操作部分に設けられた開口部とが同位置になり、その開口部に錠止体を差し込むことによりロック状態にすることができるものである。
米国特許第５７２７４６７号は、弾性体に抗して外枠体を押圧した時に、外枠体に設けられた舌片を内枠体に設けられた窪みに係合することによりロック状態にすることができるものである。
米国特許第５８５０７８７号や米国特許第７０６９８５２号は、弾性体に抗して外枠体を押圧した時に、外枠体に設置された係止用押しボタンを内枠体に設けられた切欠に係合することによりロック状態にすることができるものである。
以上の様に、この種の反転式印判は、印判主体を１８０度反転させた時にロック状態にすることにより、印字体を交換したり、無端回転印字ベルトを回転させて印面を変更したり、インキパッドを交換したり、インキを補充したりするといった作業をしやすくするものである。
【先行技術文献】
【特許文献】
【０００３】
【特許文献１】実開昭５４−１３４５２０号
【特許文献２】米国特許第５１５２２２３号
【特許文献３】米国特許第５７２７４６７号
【特許文献４】米国特許第５８５０７８７号
【特許文献５】米国特許第７０６９８５２号
【発明の概要】
【発明が解決しようとする課題】
【０００４】
しかしながら、この種の反転式印判においてインキパッドの交換作業をする場合、実開昭５４−１３４５２０号、米国特許第５１５２２２３号、米国特許第５７２７４６７号の反転式印判は、インキパッドに何の摘み部分もないので、容易に反転式印判から抜き出すことができなかった。
米国特許第５８５０７８７号はインキパッドに摘み部分があるので、容易に反転式印判から抜き出すことができるが、その代わり押印操作を容易にするためノブが必須となっている。もしノブがない場合は外枠体を直接握ることになるが、そうするとインキパッドの摘み部分が押印操作の邪魔になる欠点がある。この欠点を克服するため、米国特許第７０６９８５２号はインキパッドの摘み部分が折り畳み式になっている。
しかし、インキパッドの摘み部分を折り畳み式にすると、強度が弱く、何度も使用する間に屈折部が折れてしまう欠点があった。
【課題を解決するための手段】
【０００５】
内部に反転ガイドを設けてなる内枠体と、
前記内枠体との間に弾性体を介在して装着する外枠体と、
印面を保持し前記反転ガイドにより反転可能な印判主体と、
インキパッドを収容し側面に摘み部を設けたインキカートリッジと、
からなる反転式印判において、
前記内枠体の側面に前記インキカートリッジを挿入取出するための脱着口を設け、
前記外枠体の側面に前記インキカートリッジを挿入取出するための着脱口を設け、かつ、前記インキカートリッジの摘み部が可動するための溝が前記着脱口から連続して設けてある反転式印判。
前記印判主体が、前記印字体を嵌め込んだ印字体ホルダーを取り外し可能に保持した印判主体である請求項１に記載の反転式印判。
前記内枠体の下端部に被捺印物を保持するための凹みを設けた請求項１に記載の反転式印判。
【発明の効果】
【０００６】
本発明の反転式印判は、インキカートリッジに摘み部を設けて印判本体への挿入や引き出しを容易にすると同時に、外枠体を握って押印操作をする際にインキカートリッジの摘み部に手のひらが当たって邪魔にならないようにするものである。
【図面の簡単な説明】
【０００７】
【図１】実施例の分解上方斜視図
【図２】実施例の分解下方斜視図
【図３】実施例の作動説明図
【図４】実施例のロック作動説明図
【図５】実施例の全体図
【発明を実施するための形態】
【０００８】
以下、本発明を図１、図２、図３、図４からなる実施例にて説明する。
１０は底部を開放した箱状の内枠体であって、内枠体１０の内部には後述するインキカートリッジ４０を収納保持している。前記内枠体１０の短側面１１には、インキカートリッジ４０を挿入取出するための脱着口１２を設けてある。また、短側面１１には、後述する印判主体５０の固定軸５２が可動するためのスリット１３が前記脱着口１２の下方に設けてあり、その内部には印判主体５０を反転させるための反転ガイド１４が設けてある。本実施例の反転ガイド１４は米国特許第２３１２７２７号・米国特許第３７７９１６４号・米国特許第４４３２２８１号のように内枠体１０の内壁と一体成型してあるが、米国特許第２９３９３９０号・米国特許第４６０３６２８号のように湾曲した溝による方式の反転ガイドを用いることも可能であるし、米国特許第４４３２２８１号のようにカム板を用いた方式の反転ガイドを用いることも可能である。内枠体１０の長側面１５には、一端を長側面１５に接続し、接続部以外の周囲に切り込みを入れて弾性力を持たせた突起部１６を設けてある。前記脱着口１２は前記短側面１１両側にそれぞれ設けてあるが、片側だけに設けることも可能である。前記長側面１５は前記長側面１５両側にそれぞれ設けてあるが、片側だけに設けることも可能である。
２０は底部を開放した箱状の外枠体である。前記外枠体２０の短辺側面２１には、後述するインキカートリッジ４０を挿入取出するための着脱口２２を設け、インキカートリッジ４０の摘み部４１が可動するための溝２３が前記着脱口２２から連続して設けてある。また、短辺側面２１の内部であって溝２３の下方には、後述する印判主体５０の固定軸５２が嵌装される固定穴２４が設けられている。前記外枠体２０の長辺側面２５には、一端を長辺側面２５に接続し、接続部分以外の周囲に切り込みを入れて弾性力を持たせた押込部２６を設けてある。切り込みの下端部は後述する突起部が嵌まり込む係合部２７をなしている。前記着脱口２２は短辺側面２１両側にそれぞれ設けてあるが、片側だけに設けることも可能である。前記押込部２６と前記係合部２７は前記長辺側面２５両側にそれぞれ設けてあるが、片側だけに設けることも可能である。
３０は内枠体１０と外枠体２０の間に介在させて、外枠体２０を上下動可能に保持するための弾性体であって、本実施例ではコイルバネを２本用いているが、コイルバネに限定されない。
４０はインキパッド４２を収容したインキカートリッジである。インキパッド４２はスポンジ、フェルトなどの多孔体にインキを含浸させてある。また、インキカートリッジ４０の側面には摘み部４１が設けてあり、摘み部４１をもって内枠体１０の脱着口１２及び外枠体２０の着脱口２２から挿入又は取り出しを行なう。
５０は印判主体であって、表裏に印字体５１を保持した印字体ホルダー５４を嵌め込んでいる。印字体５１は、多孔質からなる所謂浸透印ではなく前記インキパッド４２のインキを転写するタイプの印字体であって、大きいサイズの印字体と小さいサイズの印字体を印字体ホルダー５４に表裏にそれぞれ取り付けてある。印字体ホルダー５４は、前記印判主体５０に取り外し自由となっており、用途によって大小の印字体を交換可能となっている。なお、印判主体５０は、印字体５１の代わりに複数の無端印字ベルトからなる回転印からなる回転印を用いることもできる。印判主体５０の側面には、前記外枠体２０の固定穴２４と嵌装される固定軸５２と、前記反転ガイド１４に係合して印判主体５０を安定して回転させるための反転軸５３が設けてある。
本発明の反転式印判は、印判主体５０の固定軸５２を内枠体１０のスリット１３内で自由に可動できるように取り付け、次に内枠体１０の上面に弾性体３０を設置し、次に弾性体３０を介在させたまま内枠体１０に外枠体２０を装着すると同時に外枠体２０の固定穴２４に固定軸５２を嵌装し、次に内枠体１０の脱着口１２と外枠体２０の着脱口２２の位置を合わせて摘み部４１を握ってインキカートリッジ４０を短辺側から挿入して組み付けられる。
【０００９】
次に本発明反転式印判の作動について説明する。
紙面に対して内枠体１０の下端が接触するように置いた通常時の反転式印判は、弾性体３０が最も伸びた状態であって内枠体１０と外枠体２０が最も離れた状態となっており、印字体５１は上向きの状態でインキパッド４２に接触してインキが供給された状態となっている（図３（ａ）参照）。
次に、グリップ様の外枠体２０を手で握り下降させる。そうすると、外枠体２０が弾性体３０を圧縮しながら下降すると同時に、固定穴２４に嵌装した固定軸５２もスリット１３内を下降する。この際、インキカートリッジ４０の摘み部４１は外枠体２０の溝２３内を移動するので、外枠体２０の下降作動を阻害しない（図３（ｂ）参照）。
更に、外枠体２０を下降させると、印判主体５０が反転ガイド１４に接触する。そうすると固定軸５２を中心として印判主体５０が回転して横向きとなる。その際、反転軸５３が反転ガイド１４に係合し、がたつきなどを生じさせず印判主体５０を安定して回転させる（図３（ｃ）参照）。
更に、外枠体２０を下降させると、反転ガイド１４の作用により印判主体５０が完全に１８０度反転して印字体５１は下向きとなり、紙面に印字体５１のインキを転写する。この状態では、内枠体１０の下端が紙面に当接し、内枠体１０に設けた突起部１６は外枠体２０の係合溝２７に届かないのでロックはされない（図３（ｄ）参照）。
次に、外枠体２０への押圧を解除する。そうすると、弾性体３０が反発し、今までの全ての工程を逆にたどって、通常時の状態へ戻り、印字体５１にインキパッドが接触してインキが再供給させる。
【００１０】
本発明の反転式印判は、内枠体１０と外枠体２０を組み付けた状態で印字体５１或いは印字体ホルダー５４とインキカートリッジ４０の交換が可能である。交換作業を容易にするために、印字体５１或いは印字体ホルダー５４、又は、インキカートリッジ４０の交換可能位置で内枠体１０と外枠体２０がロック状態となることが好ましい。
印字体５１或いは印字体ホルダー５４又はインキカートリッジ４０を交換するには、反転式印判の内枠体１０の開放底部を上向きに、外枠体２０を下向きにした後、内枠体１０を指で押し下げる。そうすると、内枠体１０が弾性体３０を圧縮しながら下降すると同時に、固定穴２４に嵌装した固定軸５２もスリット１３内を下降する。更に、内枠体１０を下降させると、印判主体５０が反転ガイド１４に接触する。そうすると固定軸５２を中心として印判主体５０が回転して横向きとなる。更に、内枠体１０を下降させると、反転ガイド１４の作用により印判主体５０が完全に１８０度反転し、印字体５１は上向きとなる。更に、内枠体１０を下降させると、弾性力を持たせた内枠体１０の突起部１６が外枠体に一旦は衝突するが、内枠体１０の突起部１６は弾性力を持たせてあるので内部方向にたわみながら外枠体２０を乗り越える。更に、内枠体１０を下降させると、突起部１６は外枠体２０の切り込みとなっている係合部２７に嵌まり込み、内枠体１０と外枠体２０は固定されロック状態となる（図４参照）。
当該ロック状態では、印判主体５０がせりあがって、印字体５１があらわになっており、印字体５１単独或いは印字体ホルダー５４全部を容易に交換することができる。また、内枠体１０の着脱口１２と外枠体２０の脱着口２２が同位置で固定されるので、摘み部４１を引っ張ればインキカートリッジ４２を容易に引き出すことができる。同様に、インキカートリッジ４２の摘み部４１をもって容易に挿入することも可能である。本実施例では摘み部４１が短辺側に設けてあるので、外枠体２０をグリップする際に手に摘み部４１が当たらず邪魔にならない（図４参照）。
ロック状態を解除するには、外枠体２０の押込部２６を押し込んで内部方向へ移動させると、相対している突起部１６も内部方向へ移動し、係合部２７と突起部１６の嵌合が外れると同時に、弾性体３０の弾発力によって前記工程の全てを逆にたどって、通常時の状態へ戻る。
【００１１】
本発明の反転式印判は、内枠体１０の長側面１５側に突起部１６を設けてあり、外枠体２０の長辺側面２５側に押込部２６及び係合部２７を設けてあるが、これをそれぞれ逆に設けることもできる。すなわち、内枠体１０の短側面１１側に突起部を設け、外枠体２０の短辺側面２１側に押込部及び係合部を設けてもよい。
また、本発明の反転式印判は、内枠体１０の短側面１１側に脱着口１２を設けてあり、外枠体２０の短辺側面２１側に着脱口２２を設けてあるが、これをそれぞれ逆に設けることも可能である。すなわち、内枠体１０の長側面１５側に脱着口を設け、外枠体２０の長辺側面２５側に着脱口を設けてもよい。
【００１２】
前記突起部１６や前記押込部２６は、それぞれ内枠体１０と外枠体２０に連続して一体成型してあるが、これを別部品としてバネ等を介したボタン状の突起部や押込部とすることも可能である。
また、印字体５１は、複数の文字や数字を一体とした長細形状の印字体でもよいし、文字や数字を一つ一つ個別にした印字体でもよく、それぞれ印字体ホルダー５４に嵌め込んで印判主体とする。あるいは、印判主体５０に印字体を直接貼り付けて印判主体とすることも可能である。
【００１３】
本実施例の内枠体１０の下端部には凹み１７が設けてある。凹み１７は、鉛筆など細長の円柱や多角形柱などの被捺印物を確実に保持することができるため、希望する捺印位置に正確に捺印することができるものである。
【符号の説明】
【００１４】
１０  内枠体
１１  短側面
１２  脱着口
１３  スリット
１４  反転ガイド
１５  長側面
１６  突起部
１７  凹み
２０  外枠体
２１  短辺側面
２２  着脱口
２３  溝
２４  固定穴
２５  長辺側面
２６  押込部
２７  係合部
３０  弾性体
４０  インキカートリッジ
４１  摘み部
４２  インキパッド
５０  印判主体
５１  印字体
５２  固定軸
５３  反転軸
５４  印字体ホルダー
【図１】
2011005684.tif 000003
【図２】
2011005684.tif 000004
【図３】
2011005684.tif 000005
【図４】
2011005684.tif 000006
【図５】
2011005684.tif 000007